(57)【要約】      （修正有）【課題】商品案内等を印刷した小冊子を投入又は挿入して人目に付きやすくするとともに、手の届く場所に簡単に取り付けることができる状差し形の商品表示具を提供する。【解決手段】基板１０の前面に小冊子投入用の箱体２０を、該箱体２０の開口部２１が前記基板１０の上端側に向くように固着すると共に、前記基板１０の前面に化粧板３０を装着する。その際、化粧板３０を、前記基板１０に重合する上部積層部３１と、前記箱体２０の前面を覆う下部膨出部３２により形成すると共に、該下部膨出部３２に箱体の開口部２１に対峙する第２の開口部３３を設ける。更に、前記基板１０の背面に吸着体４０を設ける。該吸着体４０を、シート状の支持体と、該支持体の前面に設けられかつ前記基板１０に結合する接着層と、前記支持体の背面に設けられかつ軟質性合成樹脂からなるシートの背面側にミクロン単位の無数の吸盤を有する吸着層と、該吸着層の背面に剥離可能に付着させたセパレータとから構成する。【選択図】図１
0003144875.tif 000002
【実用新案登録請求の範囲】
【請求項１】
基板の前面に小冊子投入用の箱体を、該箱体の開口部が前記基板の上端側に向くように固着すると共に、前記基板の前面に化粧板を装着し、該化粧板を、前記基板に重合する上部積層部と、前記箱体の前面を覆う下部膨出部により形成すると共に、該下部膨出部に箱体の開口部に対峙する第２の開口部を設け、且つ、前記基板の背面上部に吸着体を設け、該吸着体を、シート状の支持体と、該支持体の前面に設けられかつ前記基板に結合する接着層と、前記支持体の背面に設けられかつ軟質性合成樹脂からなるシートの背面側にミクロン単位の無数の吸盤を有する吸着層と、該吸着層の背面に剥離可能に付着させたセパレータとから構成したことを特徴とする商品表示具。
【請求項２】
化粧板の下部膨出部の小冊子投入用の箱体に対応する箇所Ｙに商標名やキャッチフレーズを表示することを特徴とする請求項１記載の商品表示具。
【請求項３】
化粧板の上部積層部の左横の箇所Ｘに製造会社のマークを表示することを特徴とする請求項１記載の商品表示具。
【請求項４】
箱体が偏平な箱体であることを特徴とする請求項１記載の商品表示具。
【請求項５】
箱体、基板および化粧板が厚紙でできていることを特徴とする請求項１又は４記載の商品表示具。
【考案の詳細な説明】
【技術分野】
【０００１】
本考案は、商品案内等を印刷した小冊子を投入又は挿入して人目に付きやすくするとともに、手の届く場所に簡単に取り付けることができる状差し形の商品表示具に関するものである。
【背景技術】
【０００２】
例えば、ワインや焼酎等のアルコール飲料類、口紅や化粧水等の化粧品類、おかきや和菓子等の各種贈答品類を印刷した小冊子は、従来、店内のカウンター上に置かれていることが多いため、店内のカウンターに近寄らないと、小冊子を手にとって記載されている商品の記載内容を見たり、或いは、小冊子をそのまま持ち帰ることなどが難しかった。
【０００３】
また、店側にしても、上記の小冊子を置く場所がカウンター上など、小冊子を置く場所が制約されていたので、多くの場合、小冊子を人目に付きやすく、かつ、簡単に手の届く場所に置くことが難しかった。
【考案の開示】
【考案が解決しようとする課題】
【０００４】
本考案は、上記のような問題を解消するためになされたものであり、その目的とするところは、商品案内等を印刷した小冊子を投入又は挿入して人目に付きやすくするとともに、手の届く場所に簡単に取り付けることができる状差し形の商品表示具を提供することにある。
【課題を解決するための手段】
【０００５】
本願の請求項１に係る商品表示具は、基板の前面に小冊子投入用の箱体を、該箱体の開口部が前記基板の上端側に向くように固着すると共に、前記基板の前面に化粧板を装着し、該化粧板を、前記基板に重合する上部積層部と、前記箱体の前面を覆う下部膨出部により形成すると共に、該下部膨出部に箱体の開口部に対峙する第２の開口部を設け、且つ、前記基板の背面上部に吸着体を設け、該吸着体を、シート状の支持体と、該支持体の前面に設けられかつ前記基板に結合する接着層と、前記支持体の背面に設けられかつ軟質性合成樹脂からなるシートの背面側にミクロン単位の無数の吸盤を有する吸着層と、該吸着層の背面に剥離可能に付着させたセパレータとから構成したことを特徴とする。
【０００６】
本願の請求項２に係る商品表示具は、請求項１において、化粧板の下部膨出部の小冊子投入用の箱体に対応する箇所Ｙに商標名やキャッチフレーズを表示することを特徴とするものである。
【０００７】
本願の請求項３に係る商品表示具は、請求項１において、化粧板の上部積層部の左横の箇所Ｘに製造会社のマークを表示することを特徴とするものである。
【０００８】
本願の請求項４に係る商品表示具は、請求項１において、箱体が偏平な箱体であることを特徴とするものである。
【０００９】
本願の請求項５に係る商品表示具は、請求項１において、箱体、基板および化粧板が厚紙でできていることを特徴とするものである。
【考案の効果】
【００１０】
本願の請求項１に係る考案は、基板の前面に小冊子投入用の箱体を、該箱体の開口部が前記基板の上端側に向くように固着すると共に、前記基板の前面に化粧板を装着し、該化粧板を、前記基板に重合する上部積層部と、前記箱体の前面を覆う下部膨出部により形成すると共に、該下部膨出部に箱体の開口部に対峙する第２の開口部を設け、且つ、前記基板の背面上部に吸着体を設け、該吸着体を、シート状の支持体と、該支持体の前面に設けられかつ前記基板に結合する接着層と、前記支持体の背面に設けられかつ軟質性合成樹脂からなるシートの背面側にミクロン単位の無数の吸盤を有する吸着層と、該吸着層の背面に剥離可能に付着させたセパレータとから構成したので、商品案内等を印刷した小冊子を投入又は挿入して人目に付きやすくすることができる。
【００１１】
また、セパレータを剥がしてから、店内の平滑な面、例えば、店内のスチール製の壁面や支柱、あるいは、ガラス面に基板背面の吸着層を押し付けることにより、簡単に装着することができる。こうすることで、店内のカウンターに近寄らなくとも小冊子を手にとって記載されている商品の記載内容を見たり、或いは、小冊子をそのまま持ち帰ることなどが可能になった。
【００１２】
この際、基板背面の吸着体を両面テープにすることも考えられるが、両面テープの場合は、粘着テープによって装着箇所が汚染される場合があるので、好ましいことではない。  この考案の場合は、ミクロン単位の無数の吸盤を有する吸着層を使用しているため、装着箇所が汚染されることがない。また、吸着力が低下した場合には、柔らかい布帛で乾拭きするか、或いは、水に濡らした布帛を堅く絞って水拭きすることにより、簡単に吸着力を回復させることができる。
【考案を実施するための最良の形態】
【００１３】
以下、本考案の実施の形態を図面を用いて説明する。
図１に示すように、本考案の商品表示具１００は、状差し形に形成されている。
この商品表示具１００は、基板１０の前面に小冊子投入用の偏平な箱体２０を固着している。その際、箱体２０は、その開口部２１が基板１０の上端１１側に向くように基板１０に取り付けられている。
【００１４】
その上、基板１０の前面に化粧板３０を装着させている。この化粧板３０は、基板１０上に重合する上部積層部３１と、箱体２０の前面を覆う下部膨出部３２とから構成されている。そして、下部膨出部３２に箱体２０の開口部２１に対峙する第２の開口部３３を設けている。
【００１５】
この実施の形態では、基板１０と化粧板３０とを連続した一枚の厚紙で形成し、基板１０の下端部１２で折り返しているが、例えば、基板１０と化粧板３０とを別々に形成して互いの下端部どうしを接着剤等により結合させても差し支えがない。
【００１６】
また、この商品表示具１００は、図１および図２に示すように、基板１０の背面上部に吸着体４０を設けている。この吸着体４０は、図３に示すように、シート状の支持体４１と、この支持体４１の前面に設けられ、かつ、基板１０に結合する接着層４２と、前記支持体４１の背面に設けられ、かつ、軟質性合成樹脂からなるシート４３の背面側にミクロン単位の無数の吸盤４４を有する吸着層４５と、この吸着層４５の背面に剥離可能に付着させたセパレータ（剥離紙）４６とから構成されている。
【００１７】
ここで、吸着層４５を形成する合成樹脂としては、軟質性のアクリル樹脂が望ましい。また、吸盤４４の直径は、５〜６０μｍの範囲が望ましい。また、吸盤４４の個数としては、１ｃｍ四方当たり約１０，０００個程度が望ましい。
この吸着体４０の具体例としては、株式会社ミューフィットジャパン製のミューフィットなどが挙げられる。
【００１８】
また、商品表示具としては、化粧板３０の適所、例えば、化粧板３０の下部膨出部３３の小冊子投入用の箱体２０に対応する箇所Ｙに商標名やキャッチフレーズ等を表記することができる。更に、化粧板３０の上部積層部３１の左横の箇所Ｘに製造会社のマーク等を表記することができる。
【００１９】
図４は、本考案の商品表示具１００の使用状態を示す斜視図であり、商品表示具１００は、基板１０の上端１１を「天（Ｃ）」に向け、基板１０の下端１２を「地（Ｄ）」に向けて金属製の平滑な壁面Ｗに装着されている。その際、商品表示具１００の背面に設けた吸着体４０は、セパレータ４６を剥がしてから、吸着層４５を上記壁面Ｗに押し付けることで簡単に装着することができる。
【００２０】
この商品表示具１００の箱体２０に、商品案内を印刷した小冊子Ｈを投入又は挿入しておくことにより、顧客は、店内のカウンターに近寄らなくとも小冊子を手にとって記載されている商品の記載内容を見たり、或いは、小冊子をそのまま持ち帰ることなどが可能になった。
なお、本考案では、商品案内用として、小冊子を例にとっているが、小冊子に限られず、１枚の紙など、商品説明用のパンフレット類であれば特に限定されるものではない。
【図面の簡単な説明】
【００２１】
【図１】本考案に係る商品表示具の斜視図である。
【図２】本発明に係る商品表示具の背面図である。
【図３】図２のＡ−Ａ断面図である。
【図４】本発明に係る商品表示具の使用状態を示す斜視図である。
【符号の説明】
【００２２】
１０  基板
２０  箱体
２１  箱体の開口部
３０  化粧板
３１  上部積層部
３２  下部膨出部
３３  第２の開口部
４０  吸着体
４１  シート状の支持体
４２  接着層
４３  シート
４４  吸盤
４５  吸着層
４６  セパレータ
【図１】
0003144875.tif 000003
【図２】
0003144875.tif 000004
【図３】
0003144875.tif 000005
【図４】
0003144875.tif 000006